(57)【要約】【課題】インデックス印刷や集約印刷等、レイアウト編集を要する印刷時に、読込みエラーが生じた画像データを容易に確認でき、レイアウト編集を容易にできる画像形成装置を提供する。【解決手段】読み取り部（１１４）、選択部（１１５）、編集部（１１６）、記録部（１１７）を備える画像形成装置（１）において、読み取り部（１１４）には判断機能（１１４１）、編集部（１１６）にはレイアウト編集機能（１１６１）を備え、レイアウト編集機能（１１６１）は、出力媒体１ページにレイアウトされる画像データ数が複数ではない場合に、読み取った画像データが正常ではない画像データをスキップしてレイアウト編集し、出力媒体１ページにレイアウトされる画像データ数が複数である場合に、読み取った画像データが正常ではない画像データを異なる画像データに差し替えてレイアウト編集することを特徴とするものである。【選択図】図１
2015039869.tif 000002
【特許請求の範囲】
【請求項１】
可搬型記録媒体から画像データを読み取る読み取り手段と、読み取った画像データから印刷すべき画像データを選択する選択手段と、選択された画像データを所望のレイアウト形式に編集する編集手段と、編集された画像データを記録媒体に記録する記録手段と、を備える画像形成装置において、
前記読み取り手段は、読み取った画像データが正常であるか否かを判断する判断機能を備え、
前記編集手段は、前記選択手段により選択された画像データを出力媒体にレイアウトするレイアウト編集機能を備え、
前記レイアウト編集機能は、出力媒体１ページあたりにレイアウトされる画像データ数が複数ではない場合に、前記判断機能により読み取った画像データが正常ではないと判断された画像データをスキップしてレイアウト編集し、出力媒体１ページあたりにレイアウトされる画像データ数が複数である場合に、前記判断機能により読み取った画像データが正常ではないと判断された画像データを異なる画像データに差し替えてレイアウト編集することを特徴とする画像形成装置。
【請求項２】
前記記録手段は、レシートプリンタであり、前記判断機能により読み取った画像データが正常ではないと判断されてレイアウトされなかった画像データの情報を記録することを特徴とする請求項１に記載の画像形成装置。
【請求項３】
可搬型記録媒体から画像データを読み取るステップと、読み取った画像データから印刷すべき画像を選択するステップと、選択された画像データを所望のレイアウト形式に編集するステップと、編集された画像データを記録媒体に記録するステップと、を備える画像形成装置の印刷方法において、
前記画像データを読み取るステップは、読み取った画像データが正常であるか否かを判断するステップを備え、
前記画像データを編集するステップは、前記画像データを選択するステップにより選択された画像データを出力媒体にレイアウトするレイアウト編集ステップを備え、
前記レイアウト編集ステップは、出力媒体１ページあたりにレイアウトされる画像データ数が複数ではない場合に、前記画像データを判断するステップにより読み取った画像データが正常ではないと判断された画像データをスキップしてレイアウト編集し、出力媒体１ページあたりにレイアウトされる画像データ数が複数である場合に、前記画像データを判断するステップにより読み取った画像データが正常ではないと判断された画像データを異なる画像データに差し替えてレイアウト編集するステップを備えることを特徴とする印刷方法。
【請求項４】
可搬型記録媒体から画像データを読み取る読み取り手段と、読み取った画像データから印刷すべき画像データを選択する選択手段と、選択された画像データを所望のレイアウト形式に編集する編集手段と、編集された画像データを記録媒体に記録する記録手段と、前記編集手段によりレイアウト編集された画像データを表示部に表示する制御手段と、を備える画像形成装置に用いる印刷処理プログラムにおいて、
コンピュータを、前記制御手段として、読み取った画像データから選択された画像データを出力媒体にレイアウトする際に、読み取った画像データが正常であるか否かを判断して、出力媒体１ページあたりにレイアウトされる画像データ数が複数ではない場合に、読み取った画像データが正常ではないと判断された画像データをスキップしてレイアウト編集し、出力媒体１ページあたりにレイアウトされる画像データ数が複数である場合に、読み取った画像データが正常ではないと判断された画像データを異なる画像データに差し替えてレイアウト編集するように機能させることを特徴とする画像形成装置の印刷処理プログラム。
【発明の詳細な説明】
【技術分野】
【０００１】
本発明は、画像形成装置に係り、特に、読み取った画像データをレイアウト編集する機能を備える画像形成装置に関する。
【背景技術】
【０００２】
近年、電機量販店、カメラ店、コンビニエンスストア等の店舗で、記録媒体に保存された画像を読み込んで印刷出力を行う写真プリントサービスが提供されている。ユーザは、印刷を行いたい画像データの含まれた記録媒体を店舗に持込み、店舗に設置されている印刷端末等を使って印刷出力を行う。
【０００３】
また、このような写真プリントサービスは、１枚の用紙に画像を１枚ずつ印刷する他に、１枚の用紙に複数の画像を割りつけて印刷する集約印刷機能(インデックス印刷)、複数の紙に１枚の画像を分割して印刷し、印刷結果を張り合わせることで、大きな印刷出力を得るポスター印刷といったレイアウト印刷機能を持っている。
【０００４】
しかしながら、ユーザの持ち込む画像データは、極希に破損している場合があり、その場合の対応方法は、写真プリントサービスによってまちまちであった。
【０００５】
対応方法の１つとして、例えば、破損している画像データをスキップしてレイアウトを修正しながら印刷する方法がある。この場合、印刷時に破損した画像データを検出する度に、先行して行なっていたレイアウト処理をやり直すことが必要になり、印刷時間がかかるという問題がある。また、ユーザには破損している画像データが分からないため、どの画像データが印刷されていないのかは、印刷結果を１つ１つ確認する必要があった。
【０００６】
別の対応方法として、破損した画像データに対応して「壊れ画像」を示すアイコンに置き換えて印刷出力することで、レイアウト処理のやり直しが不要になり、壊れている画像データも確認することが出来る。しかしながら、この場合、１枚の用紙に１枚ずつ印刷する場合、および、ポスター印刷のように複数の用紙に１枚の画像を印刷する場合には、壊れ画像を示すアイコンのみを出力してしまい、ユーザにとっては意味のない出力になってしまう。
【０００７】
そこで、上記問題の対策として、プリンタエンジン部に画像データ比較演算部を設け、プリンタコントローラ部に予めサンプルデータとして格納した頁単位の画像データを前記プリンタエンジン部に送信し、前記画像データ比較演算部において前記プリンタコントローラ部から送信されてくる頁単位の画像データから求めたデータを構成するビットのサム値を前記予め格納されたサンプルデータのビットのサム値と比較することによりエラーチェックを行うようにした画像形成装置が開示されている（特許文献１を参照）。
【０００８】
このような従来技術によれば、プリンタコントローラ部に格納された検査用の頁単位の画像データと該画像データを構成するビットのサム値（合計値）をエンジン１／Ｆを介してエンジン部に送出し、エンジン部の画像データ比較演算部により、送られてきた画像データの頁内のビットのサム値を算出し、プリンタコントローラ部から同時に送られてきた元のサム値と比較することにより、転送時の画像データ損失を簡単かつ有効にチェックすることができる。
【先行技術文献】
【特許文献】
【０００９】
【特許文献１】特開２０００−２５０７１７号公報
【発明の概要】
【発明が解決しようとする課題】
【００１０】
しかしながら、特許文献１にて提案されている技術では、データ転送時に画像データにエラーが生じたことを確認できるが、レイアウト編集を考慮したものではないため、エラーが生じた画像データが転送されるその他の画像データのうちのどこに位置する画像データであるかが容易に解らなかった。
【００１１】
本発明は、上記従来の問題点に鑑みてなされたものであって、インデックス印刷や集約印刷等、レイアウト編集を要する印刷時に、読込みエラーが生じた画像データを容易に確認でき、レイアウト編集を容易にできる画像形成装置を提供することを目的とする。
【課題を解決するための手段】
【００１２】
上述した課題を解決するための本発明に係る画像形成装置は、次の通りである。
【００１３】
本発明は、可搬型記録媒体から画像データを読み取る読み取り手段と、読み取った画像データから印刷すべき画像データを選択する選択手段と、選択された画像データを所望のレイアウト形式に編集する編集手段と、編集された画像データを記録媒体に記録する記録手段と、を備える画像形成装置において、前記読み取り手段の構成として、読み取った画像データが正常であるか否かを判断する判断機能を備え、前記編集手段の構成として、前記選択手段により選択された画像データを出力媒体（記録用紙）にレイアウトするレイアウト編集機能を備え、前記レイアウト編集機能として、出力媒体１ページあたりにレイアウトされる画像データ数が複数ではない場合に、前記判断機能により読み取った画像データが正常ではないと判断された画像データをスキップしてレイアウト編集し、出力媒体１ページあたりにレイアウトされる画像データ数が複数である場合に、前記判断機能により読み取った画像データが正常ではないと判断された画像データを異なる画像データ（例えば、壊れた画像のアイコン）に差し替えてレイアウト編集することを特徴とするものである。
【００１４】
また、本発明は、前記記録手段として、レシートプリンタを用いて、前記判断機能により読み取った画像データが正常ではないと判断されてレイアウトされなかった（スキップされた）画像データの情報を記録することが好ましい。
【００１５】
また、本発明は、可搬型記録媒体から画像データを読み取るステップと、読み取った画像データから印刷すべき画像を選択するステップと、選択された画像データを所望のレイアウト形式に編集するステップと、編集された画像データを記録媒体に記録するステップと、を備える画像形成装置の印刷方法において、前記画像データを読み取るステップとして、読み取った画像データが正常であるか否かを判断するステップを備え、前記画像データを編集するステップとして、前記画像データを選択するステップにより選択された画像データを出力媒体にレイアウトするレイアウト編集ステップを備え、前記レイアウト編集ステップとして、出力媒体１ページあたりにレイアウトされる画像データ数が複数ではない場合に、前記画像データを判断するステップにより読み取った画像データが正常ではないと判断された画像データをスキップしてレイアウト編集し、出力媒体１ページあたりにレイアウトされる画像データ数が複数である場合に、前記画像データを判断するステップにより読み取った画像データが正常ではないと判断された画像データを異なる画像データ（例えば、壊れた画像のアイコン）に差し替えてレイアウト編集するステップを備えることを特徴とするものである。
【００１６】
さらに、可搬型記録媒体から画像データを読み取る読み取り手段と、読み取った画像データから印刷すべき画像データを選択する選択手段と、選択された画像データを所望のレイアウト形式に編集する編集手段と、編集された画像データを記録媒体に記録する記録手段と、前記編集手段によりレイアウト編集された画像データを表示部に表示する制御手段と、を備える画像形成装置に用いる印刷処理プログラムにおいて、コンピュータを、前記制御手段として、読み取った画像データから選択された画像データを出力媒体にレイアウトする際に、読み取った画像データが正常であるか否かを判断して、出力媒体１ページあたりにレイアウトされる画像データ数が複数ではない場合に、読み取った画像データが正常ではないと判断された画像データをスキップしてレイアウト編集し、出力媒体１ページあたりにレイアウトされる画像データ数が複数である場合に、読み取った画像データが正常ではないと判断された画像データを異なる画像データ（例えば、壊れた画像のアイコン）に差し替えてレイアウト編集するように機能させることを特徴とするものである。
【発明の効果】
【００１７】
本発明の画像形成装置によれば、可搬型記録媒体から画像データを読み取る読み取り手段と、読み取った画像データから印刷すべき画像データを選択する選択手段と、選択された画像データを所望のレイアウト形式に編集する編集手段と、編集された画像データを記録媒体に記録する記録手段と、を備える画像形成装置において、前記読み取り手段の構成として、読み取った画像データが正常であるか否かを判断する判断機能を備え、前記編集手段の構成として、前記選択手段により選択された画像データを出力媒体（記録用紙）にレイアウトするレイアウト編集機能を備え、前記レイアウト編集機能として、出力媒体１ページあたりにレイアウトされる画像データ数が複数ではない場合に、前記判断機能により読み取った画像データが正常ではないと判断された画像データをスキップしてレイアウト編集し、出力媒体１ページあたりにレイアウトされる画像データ数が複数である場合に、前記判断機能により読み取った画像データが正常ではないと判断された画像データを異なる画像データに差し替えてレイアウト編集することで、読込みエラーが生じた画像データを容易に確認でき、再レイアウトを行う必要がないので、レイアウト編集を容易に、かつ迅速に行うことができる。
【００１８】
また、本発明の画像形成装置の印刷方法によれば、可搬型記録媒体から画像データを読み取るステップと、読み取った画像データから印刷すべき画像を選択するステップと、選択された画像データを所望のレイアウト形式に編集するステップと、編集された画像データを記録媒体に記録するステップと、を備える画像形成装置の印刷方法において、前記画像データを読み取るステップとして、読み取った画像データが正常であるか否かを判断するステップを備え、前記画像データを編集するステップとして、前記画像データを選択するステップにより選択された画像データを出力媒体にレイアウトするレイアウト編集ステップを備え、前記レイアウト編集ステップとして、出力媒体１ページあたりにレイアウトされる画像データ数が複数ではない場合に、前記画像データを判断するステップにより読み取った画像データが正常ではないと判断された画像データをスキップしてレイアウト編集し、出力媒体１ページあたりにレイアウトされる画像データ数が複数である場合に、前記画像データを判断するステップにより読み取った画像データが正常ではないと判断された画像データを異なる画像データ（例えば、壊れた画像のアイコン）に差し替えてレイアウト編集するステップを備えることで、読込みエラーが生じた画像データを容易に確認でき、再レイアウトを行う必要がないので、レイアウト編集を容易に、かつ迅速に行うことができる。
【００１９】
また、本発明の画像形成装置に用いる印刷処理プログラムによれば、可搬型記録媒体から画像データを読み取る読み取り手段と、読み取った画像データから印刷すべき画像データを選択する選択手段と、選択された画像データを所望のレイアウト形式に編集する編集手段と、編集された画像データを記録媒体に記録する記録手段と、前記編集手段によりレイアウト編集された画像データを表示部に表示する制御手段と、を備える画像形成装置に用いる印刷処理プログラムにおいて、コンピュータを、前記制御手段として、読み取った画像データから選択された画像データを出力媒体にレイアウトする際に、読み取った画像データが正常であるか否かを判断して、出力媒体１ページあたりにレイアウトされる画像データ数が複数ではない場合に、読み取った画像データが正常ではないと判断された画像データをスキップしてレイアウト編集するように機能させ、出力媒体１ページあたりにレイアウトされる画像データ数が複数である場合に、読み取った画像データが正常ではないと判断された画像データを異なる画像データ（例えば、壊れた画像のアイコン）に差し替えてレイアウト編集するように機能させることで、読込みエラーが生じた画像データを容易に確認でき、再レイアウトを行う必要がないので、レイアウト編集を容易に、かつ迅速に行うことができる。
【図面の簡単な説明】
【００２０】
【図１】本発明の実施形態に係る画像形成装置のシステムの構成を示すブロック図である。
【図２】前記画像形成装置を構成するＵＩ制御部本体の概略構成を示すブロック図である。
【図３】前記画像形成装置により印刷レイアウトに応じた印刷処理の一例を示すフローチャートである。
【図４】前記画像形成装置による単独画像・ポスター印刷の処理手順を示すフローチャートである。
【図５】前記画像形成装置に接続されるレシートプリンタから出力されるレシートに記録された一例を示す説明図である。
【図６】前記画像形成装置による複数画像レイアウト印刷の処理手順を示すフローチャートである。
【図７】前記画像形成装置の表示部に表示されるレイアウト印刷の表示画面の一例を示す説明図である。
【図８】本発明の第２実施形態に係る画像形成装置のシステムの構成を示すブロック図である。
【図９】本発明の第３実施形態に係る画像形成装置のシステムの構成を示すブロック図である。
【図１０】本発明の第４実施形態に係る画像形成装置のシステムの構成を示すブロック図である。
【発明を実施するための形態】
【００２１】
（第１実施形態）
以下、本発明の画像形成装置を実施するための形態について図面を参照して説明する。
図１は発明を実施する形態の一例であって、本発明の第１実施形態に係る画像形成装置のシステムの構成を示すブロック図、図２は前記画像形成装置を構成するＵＩ制御部本体の概略構成を示すブロック図である。
【００２２】
なお、この実施の形態に記載されている構成要素はあくまで例示であり、この発明の範囲をそれらのみに限定する主旨のものではない。
【００２３】
第１実施形態は、図１に示すように、図示しない可搬型記録媒体から画像データを読み取る読み取り部（読み取り手段）１１４と、読み取った画像データから印刷すべき画像データを選択する選択部（選択手段）１１５と、選択された画像データを所望のレイアウト形式に編集する編集部（編集手段）１１６と、編集された画像データを記録媒体に記録する記録部（記録手段）１１７と、を有するＵＩ(User Interface)制御部１００を備えた画像形成装置１において、ＵＩ制御部１００の構成として、本発明の特徴的な機能を有する制御部を備えることを特徴とする。
【００２４】
ＵＩ制御部１００は、表示部１１１と、メディアリーダ装置１１２と、ネットワークＩ／Ｆ１１３とを備えている。
【００２５】
第１実施形態では、画像形成装置（例えば、写真プリント装置）１は、制御部として構成されるＵＩ制御部１００と普通紙プリンタ１０１とがＬＡＮで接続されている。また、ＵＩ制御部１００とメディアリーダ装置１１２、昇華型Ｌ判プリンタ１０２、および、レシートプリンタ１０３とがＵＳＢで接続されている。
【００２６】
普通紙プリンタ１０１は、電子写真方式によるプリンタである。
昇華型Ｌ判プリンタ１０２は、写真画像を高画質で印刷するためのプリンタである。
レシートプリンタ１０３は、領収書レシートを印刷するための感熱式レシートプリンタである。
【００２７】
また、第１実施形態では、ＵＩ制御部１００の特徴的な構成として、読み取り部１１４は、読み取った画像データが正常であるか否かを判断する判断機能１１４１を備えている。また、編集部１１６は、選択部１１５により選択された画像データを記録用紙（出力媒体）にレイアウトするレイアウト編集機能１１６１を備えている。
【００２８】
レイアウト編集機能１１６１は、記録用紙１ページあたりにレイアウトされる画像データ数が複数ではない場合に、判断機能１１４１により読み取った画像データが正常ではないと判断された画像データをスキップしてレイアウト編集し、記録用紙１ページあたりにレイアウトされる画像データ数が複数である場合に、判断機能１１４１により読み取った画像データが正常ではないと判断された画像データを異なる画像データに差し替えてレイアウト編集するようにされている。
【００２９】
また、ＵＩ制御部１００は、基本的構成として、図２に示すように、ＵＩ制御部本体２００、ディスプレイ装置（表示装置）２１０、キーボード（入力装置）２２０、マウス（ポインティングデバイス）２３０等を備えて構成されている。ディスプレイ装置２１０は、図１に示す表示部１１１に相当する。
【００３０】
ＵＩ制御部本体２００は、ＣＰＵ２０１、ＲＯＭ２０２、ＲＡＭ２０３、ハードディスク装置（ＨＤＤ）２０４、ネットワークＩ／Ｆ２０５、ディスプレイＩ／Ｆ２０６、入力Ｉ／Ｆ２０７等を備えて構成されている。ネットワークＩ／Ｆ２０５は、図１に示すネットワークＩ／Ｆ１１３に相当する。
【００３１】
次に、第１実施形態の画像形成装置１により印刷レイアウトを指定して印刷処理を実行する場合についてフローチャートに沿って説明する。
図３は第１実施形態の画像形成装置により印刷レイアウトに応じた印刷処理の一例を示すフローチャートである。
【００３２】
画像形成装置１により複数の画像を１ページに配置して印刷する場合は、図３に示すように、まず、ＵＩ制御部１００に備えられた表示部１１１に表示された印刷レイアウト形式の中から所望の印刷方法を選択する（ステップＳ０１）。そして、ステップＳ０２に進む。
【００３３】
印刷レイアウト形式は、記録用紙１ページに１つの画像を印刷する形式と、記録用紙１ページに複数の画像をレイアウトする形式として、例えば、２ｉｎ１、４ｉｎ１、９ｉｎ１、１６ｉｎ１、２５ｉｎ１等がある。
【００３４】
ステップＳ０２では、記録用紙１ページに複数の画像がレイアウトされるか否かが判断される。ステップＳ０２において、記録用紙１ページに複数の画像がレイアウトされないと判断された場合は、ステップＳ０３に進み、単独画像・ポスター印刷が実行される。
【００３５】
一方、ステップＳ０２において、記録用紙１ページに複数の画像がレイアウトされると判断された場合は、ステップＳ０４に進み、複数画像レイアウト印刷が実行される。
このようにして、印刷処理が終了する。
【００３６】
次に、第１実施形態の画像形成装置１による単独画像・ポスター印刷処理についてフローチャートに沿って説明する。
図４は第１実施形態の画像形成装置による単独画像・ポスター印刷の処理手順を示すフローチャート、図５は前記画像形成装置に接続されるレシートプリンタから出力されるレシートに記録された一例を示す説明図である。
【００３７】
画像形成装置１により単独画像・ポスター印刷を行う場合は、図４に示すように、まず、印刷対象の画像データを選択する（ステップＳ１０１）。そして、ステップＳ１０２に進む。
【００３８】
印刷対象の画像データの選択は、例えば、ＵＩ制御部１００に備えられたメディアリーダ装置１１２に印刷対象の画像データの含まれたメディアを接続し、画像データの一覧を表示させ、その中から印刷したい画像データを選択する。
【００３９】
ステップＳ１０２では、選択した全画像データの印刷処理は完了したか否かが判断される。ステップＳ１０２において、選択した全画像データの印刷処理は完了していないと判断された場合は、ステップＳ１０３に進み、メディアから画像データを読み取る。そして、ステップＳ１０４に進む。
【００４０】
ステップＳ１０４では、画像データの読み取りエラーが発生したか否かが判断される。
ステップＳ１０４において、画像データの読み取りエラーが発生していないと判断された場合は、印刷が実行される（ステップＳ１０５）。そして、ステップＳ１０２に戻る。
【００４１】
一方、ステップＳ１０４において、画像データの読み取りエラーが発生したと判断された場合は、印刷処理をスキップする（ステップＳ１０６）。そして、記録部１１７にエラーが発生した画像名を記録する（ステップＳ１０７）。そして、ステップＳ１０２に戻る。
【００４２】
ステップＳ１０２において、選択した全画像データの印刷処理は完了したと判断された場合は、ステップＳ１０８に進む。
【００４３】
ステップＳ１０８では、ステップＳ１０７で記録されたエラーが発生した画像があるか否かが判断される。ステップＳ１０８において、ステップＳ１０７で記録されたエラーが発生した画像があると判断された場合は、図５に示すように、レシートプリンタ１０３によりその記録がレシートＰ０１に印刷されて出力される（ステップＳ１０９）。そして、単独画像・ポスター印刷処理は終了する。
【００４４】
レシートＰ０１には、図５に示すように、画像データにエラーが発生したコメントＰ０１ａと、エラーが発生した画像データのファイル名、サイズ、日時等の情報Ｐ０１ｂが記録される。
【００４５】
一方、ステップＳ１０８において、ステップＳ１０７で記録されたエラーが発生した画像がないと判断された場合は、そのまま、単独画像・ポスター印刷処理は終了する。
【００４６】
次に、第１実施形態の画像形成装置１による複数画像レイアウト印刷処理についてフローチャートに沿って説明する。
図６は第１実施形態の画像形成装置による複数画像レイアウト印刷の処理手順を示すフローチャート、図７は前記画像形成装置の表示部に表示されるレイアウト印刷の表示画面の一例を示す説明図である。
【００４７】
画像形成装置１により複数画像レイアウト印刷を行う場合は、図５に示すように、まず、印刷対象の画像データを選択する（ステップＳ２０１）。そして、ステップＳ２０２に進む。
【００４８】
ステップＳ２０２では、選択した全画像データの印刷処理は完了したか否かが判断される。ステップＳ２０２において、選択した全画像データの印刷処理は完了していないと判断された場合は、ステップＳ２０３に進み、メディアから画像データを読み取る。そして、ステップＳ２０４に進む。
【００４９】
ステップＳ２０４では、画像データの読み取りエラーが発生したか否かが判断される。
ステップＳ２０４において、画像データの読み取りエラーが発生していないと判断された場合は、読み込んだ画像データをレイアウト処理して（ステップＳ２０５）、ステップＳ２０７に進む。
【００５０】
一方、ステップＳ２０４において、画像データの読み取りエラーが発生したと判断された場合は、図７に示すように、表示部２１１に読み取りエラーが発生した画像データの表示画像に換えて壊れた画像を示すアイコン（壊れ画像アイコン）２１１３ａを表示するレイアウト処理をして（ステップＳ２０６）、ステップＳ２０７に進む。
【００５１】
表示部２１１におけるレイアウト表示は、図７に示すように、正常に読み取られた画像データの表示画像２１１１，２１１２，２１１４と、読み取りエラーが発生したことを示す壊れ画像アイコン２１１３ａが表示される。
【００５２】
ステップＳ２０７では、記録用紙１ページ分の画像レイアウトが完成したか否かが判断される。ステップＳ２０７において、記録用紙１ページ分の画像レイアウトが完成したと判断された場合は、ステップＳ２０８に進み、記録用紙１ページ分の印刷が実行される。そして、ステップＳ２０２に戻る。
【００５３】
一方、ステップＳ２０７において、記録用紙１ページ分の画像レイアウトが完成していないと判断された場合は、そのまま、ステップＳ２０２に戻る。
【００５４】
ステップＳ２０２において、選択した全画像データの印刷処理は完了したと判断された場合は、複数画像レイアウト印刷処理は終了する。
【００５５】
以上のように構成したので、第１実施形態によれば、読み取り部１１４と、選択部１１５と、編集部１１６と、記録部１１７と、を有するＵＩ制御部１００を備えて、画像データをレイアウト編集することができる画像形成装置１において、読み取り部１１４には判断機能１１４１を備え、編集部１１６には、レイアウト編集機能１１６１を備え、レイアウト編集機能１１６１により、記録用紙１ページあたりにレイアウトされる画像データ数が複数ではない場合に、判断機能１１４１により読み取った画像データが正常ではないと判断された画像データをスキップしてレイアウト編集し、記録用紙１ページあたりにレイアウトされる画像データ数が複数である場合に、判断機能１１４１により読み取った画像データが正常ではないと判断された画像データを異なる画像データに差し替えてレイアウト編集するようにしたので、選択した画像データに読み取りエラーが生じても、読込みエラーが生じた画像データを壊れ画像アイコン２１１３ａに置き換えることで容易に確認でき、再レイアウトを行う必要がないので、レイアウト編集を容易に、かつ迅速に行うことができる。これにより、インデックス印刷や集約印刷等におけるレイアウト編集を容易に行うことができる。
【００５６】
また、第１実施形態によれば、出力媒体１ページあたりにレイアウトされる画像データ数が複数ではない場合には、単独画像・ポスター印刷となり、レイアウト印刷が行われないため、画像データの読込みにエラーが発生すると画像データがスキップされることで印刷処理がスキップされるので、壊れ画像アイコン２１１３ａの画像を印刷することなく、正常に読み込まれて必要な画像のみを印刷することができる。
【００５７】
また、第１実施形態によれば、レイアウト印刷を行わない場合は、画像データの読込みにエラーが発生すると、その画像データの情報をリストとしてレシートプリンタ１０３により印刷して出力するようにしたので、どの画像が読み込めなかったかを容易に確認することができる。
【００５８】
（第２実施形態）
次に、本発明の第２実施形態について図面を参照して説明する。
図８は本発明の第２実施形態に係る画像形成装置のシステムの構成を示すブロック図である。
【００５９】
第２実施形態は、図８に示すように、画像形成装置１におけるＵＩ制御部１００の構成として、第１実施形態のメディアリーダ装置１１２に換えて、デジタルカメラ等の外部機器２１３と接続可能な接続部（例えば、ＵＳＢ  Ｉ／Ｆ）２１２を備えて、外部機器２１３から画像データを受信可能に構成したことを特徴とするものである。
【００６０】
なお、第２実施形態の画像形成装置１は、メディアリーダ装置１１２に換えて接続部２１２を備えたこと以外は、第１実施形態の画像形成装置１の構成と同様な構成を有するため、第１実施形態の説明を参照するものとして説明を省略する。また、同一の構成および機能を有する構成要素は、同一の符号を付することで説明を省略する。
【００６１】
接続部２１２は、外部機器２１３が接続されて外部機器２１３からの画像データを受信可能に構成されている。
【００６２】
このように構成することで、第２実施形態によれば、接続部２１２を介して画像形成装置１に外部機器２１３を簡単に接続することができるので、外部機器２１３から直接画像データを受信することができる。
【００６３】
（第３実施形態）
次に、本発明の第３実施形態について図面を参照して説明する。
図９は本発明の第３実施形態に係る画像形成装置のシステムの構成を示すブロック図である。
【００６４】
第３実施形態は、図９に示すように、画像形成装置１におけるＵＩ制御部１００の構成として、第１実施形態のメディアリーダ装置１１２に換えて、スマートフォン等の無線通信可能な外部機器３１３と接続可能な無線通信部（例えば、ｗｉｆｉ  Ｉ／Ｆ）３１２を備えて、外部機器３１３から画像データを無線通信により受信可能に構成したことを特徴とするものである。
【００６５】
なお、第３実施形態の画像形成装置１は、メディアリーダ装置１１２に換えて無線通信部３１２を備えたこと以外は、第１実施形態の画像形成装置１の構成と同様な構成を有するため、第１実施形態の説明を参照するものとして説明を省略する。また、同一の構成および機能を有する構成要素は、同一の符号を付することで説明を省略する。
【００６６】
無線通信部３１２は、無線通信可能な外部機器３１３が接続されて外部機器２１３からの画像データを無線通信により受信可能に構成されている。
【００６７】
このように構成することで、第３実施形態によれば、無線通信部３１２を介して画像形成装置１に外部機器３１３を接続することができるので、外部機器２１３から無線通信により画像データを簡単に受信することができる。
【００６８】
（第４実施形態）
次に、本発明の第４実施形態について図面を参照して説明する。
図１０は本発明の第４実施形態に係る画像形成装置のシステムの構成を示すブロック図である。
【００６９】
第４実施形態は、図１０に示すように、画像形成装置１におけるＵＩ制御部１００の構成として、第１実施形態のメディアリーダ装置１１２にメディアを接続して画像データを読取る構成に換えて、ネットワークＩ／Ｆ１１３により外部ネットワークを介してファイルサーバ４１０に接続して、ファイルサーバ４１０から画像データを受信可能に構成したことを特徴とするものである。
【００７０】
なお、第４実施形態の画像形成装置１は、メディアリーダ装置１１２に換えて、ネットワークＩ／Ｆ１１３により外部ネットワークを介してファイルサーバ４１０に接続すること以外は、第１実施形態の画像形成装置１の構成と同様な構成を有するため、第１実施形態の説明を参照するものとして説明を省略する。また、同一の構成および機能を有する構成要素は、同一の符号を付することで説明を省略する。
【００７１】
ネットワークＩ／Ｆ１１３は、外部ネットワークと接続されて、外部ネットワークを介してファイルサーバ４１０から画像データを受信可能に構成されている。
【００７２】
このように構成することで、第４実施形態によれば、ネットワークＩ／Ｆ１１３により外部ネットワークを介してファイルサーバ４１０に接続することができるので、外部ネットワークを介してファイルサーバ４１０から画像データを簡単に受信することができる。
【００７３】
なお、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【００７４】
１  画像形成装置
１００  ＵＩ制御部
１０１  普通紙プリンタ
１０２  昇華型Ｌ判プリンタ
１０３  レシートプリンタ
１１１  表示部
１１２  メディアリーダ装置
１１４  読み取り部（読み取り手段）
１１５  選択部（選択手段）
１１６  編集部（編集手段）
１１７  記録部（記録手段）
２００  制御部本体
２１０  ディスプレイ装置
２１１  表示部
２１２  接続部
２１３，３１３  外部機器
３１２  無線通信部
４１０  ファイルサーバ
１１４１  判断機能
１１６１  レイアウト編集機能
２１１１，２１１２，２１１４  表示画像
２１１３ａ  壊れ画像アイコン
Ｐ０１  レシート
Ｐ０１ａ  コメント
Ｐ０１ｂ  情報
【図１】
2015039869.tif 000003
【図２】
2015039869.tif 000004
【図３】
2015039869.tif 000005
【図４】
2015039869.tif 000006
【図５】
2015039869.tif 000007
【図６】
2015039869.tif 000008
【図７】
2015039869.tif 000009
【図８】
2015039869.tif 000010
【図９】
2015039869.tif 000011
【図１０】
2015039869.tif 000012